(57)【特許請求の範囲】
【請求項１】
第１のフォーマットを有する連続帳票を単位帳票に切断するための第１帳票切断部と、
前記第１のフォーマットとは異なる第２のフォーマットを有する連続帳票を単位帳票に切断するための第２帳票切断部と、
前記第１帳票切断部を介して切断された単位帳票と前記第２帳票切断部を介して切断された単位帳票とを切断の順序にしたがって綴じ合わせるための綴じ合わせ部と、
前記第１帳票切断部、前記第２帳票切断部、および前記綴じ合わせ部を駆動制御するための制御部とを備え、
前記制御部は、綴じ合わせるべき１つの帳票の束の形成に際して、前記第１帳票切断部が所定枚数の単位帳票を切断した後に前記第２帳票切断部が所定枚数の単位帳票を切断するように、前記第１帳票切断部および前記第２帳票切断部の切断処理を制御し、
前記制御部は、各帳票束の形成に際して前記第１帳票切断部で切断されるべき連続帳票の先頭位置にある単位帳票に付されたマークを検出するためのマーク検出部を有し、該マーク検出部で検出されたマークに含まれる枚数情報に基づいて、前記第１帳票切断部における切断枚数および前記第２帳票切断部における切断枚数を各帳票束の形成毎に制御することを特徴とする製本装置。
【請求項２】
前記綴じ合わせ部は、前記第１帳票切断部を介して切断された単位帳票および前記第２帳票切断部を介して切断された単位帳票に対して糊を塗布するための糊塗布部と、該糊塗布部により糊が塗布された単位帳票を切断の順序にしたがって積み重ねるためのスタッカー部とを有することを特徴とする請求項１に記載の製本装置。
【請求項３】
前記制御部は、各帳票束の形成に際して、前記第１帳票切断部で最初に切断された単位帳票を除く他のすべての単位帳票に糊を塗布するように前記糊塗布部を制御することを特徴とする請求項２に記載の製本装置。
【発明の詳細な説明】
【０００１】
【発明の属する技術分野】
本発明は、帳票の製本装置および製本方法に関し、特にフォーマットの異なる複数の連続帳票から連続的に切断された単位帳票を綴じ合わせて１つの帳票束を形成する装置および方法に関するものである。
【０００２】
【従来の技術】
従来、表紙を構成する単位帳票とデータページを構成する単位帳票とを所定の順序にしたがって綴じ合わせることによって帳票の束を連続的に形成する製本装置が知られている。この場合、表紙用単位帳票とデータページ用単位帳票とは、互いに異なるフォーマットを有する。そこで、従来技術では、図１０に示すように、１つの帳票束に対応する表紙用単位帳票の枚数およびデータページ用単位帳票の枚数を固定的に設定した連続帳票を作成している。
【０００３】
図１０に示す連続帳票では、１枚の表紙用単位帳票７１と５枚のデータページ用単位帳票７２〜７６とからなる連続帳票ユニット７０が連続的に形成されている。従来の製本装置では、このように作成された連続帳票をその先頭から順に単位帳票に切断し、切断した順序にしたがって綴じ合わせることにより帳票束を形成している。
【０００４】
【発明が解決しようとする課題】
しかしながら、各帳票束を構成すべき表紙用単位帳票の枚数およびデータページ用単位帳票の枚数は必ずしも一定ではない。たとえば、１枚の表紙用単位帳票と４枚のデータページ用単位帳票とで帳票束を連続的に形成したい場合がある。この場合、不用である５枚目のデータページ用単位帳票を認識し、この単位帳票だけを綴じ合わせないようにするのが一般的である。すなわち、各帳票束の製本に際して単位帳票を１枚づつ無駄にすることになる。
【０００５】
同様に、たとえば１枚の表紙用単位帳票と綴じ合わせるべきデータページ用単位帳票の枚数が各帳票束の形成毎に異なる場合もある。この場合、不用であるデータページ用単位帳票を各帳票束の形成毎に認識し、不用な単位帳票だけを綴じ合わせないようにすることになる。すなわち、この場合も、各帳票束の製本に際して、１枚または複数枚の単位帳票を無駄にすることがある。
【０００６】
一方、たとえば１枚の表紙用単位帳票と６枚のデータページ用単位帳票とで帳票束を連続的に形成したい場合がある。この場合、１枚の表紙用単位帳票と６枚のデータページ用単位帳票とからなる連続帳票ユニットが連続的に形成された形式の連続帳票を新たに作成しなければならない。また、たとえば２枚の表紙用単位帳票と５枚のデータページ用単位帳票とで帳票束を連続的に形成したい場合がある。この場合、２枚の表紙用単位帳票と５枚のデータページ用単位帳票とからなる連続帳票ユニットが連続的に形成された形式の連続帳票を新たに作成しなければならない。
【０００７】
本発明は、前述の課題に鑑みてなされたものであり、帳票を無駄にすることなく、また様々な形式の連続帳票をその都度作成することなく、フォーマットの異なる複数の連続帳票から帳票束を簡易的に形成することのできる製本装置および製本方法を提供することを目的とする。
【０００８】
【課題を解決するための手段】
前記課題を解決するために、本発明では、第１のフォーマットを有する連続帳票を単位帳票に切断するための第１帳票切断部と、
前記第１のフォーマットとは異なる第２のフォーマットを有する連続帳票を単位帳票に切断するための第２帳票切断部と、
前記第１帳票切断部を介して切断された単位帳票と前記第２帳票切断部を介して切断された単位帳票とを切断の順序にしたがって綴じ合わせるための綴じ合わせ部と、
前記第１帳票切断部、前記第２帳票切断部、および前記綴じ合わせ部を駆動制御するための制御部とを備え、
前記制御部は、綴じ合わせるべき１つの帳票の束の形成に際して、前記第１帳票切断部が所定枚数の単位帳票を切断した後に前記第２帳票切断部が所定枚数の単位帳票を切断するように、前記第１帳票切断部および前記第２帳票切断部の切断処理を制御し、
前記制御部は、各帳票束の形成に際して前記第１帳票切断部で切断されるべき連続帳票の先頭位置にある単位帳票に付されたマークを検出するためのマーク検出部を有し、該マーク検出部で検出されたマークに含まれる枚数情報に基づいて、前記第１帳票切断部における切断枚数および前記第２帳票切断部における切断枚数を各帳票束の形成毎に制御することを特徴とする製本装置を提供する。
【００１２】
また、本発明の好ましい態様によれば、前記綴じ合わせ部は、前記第１帳票切断部を介して切断された単位帳票および前記第２帳票切断部を介して切断された単位帳票に対して糊を塗布するための糊塗布部と、該糊塗布部により糊が塗布された単位帳票を切断の順序にしたがって積み重ねるためのスタッカー部とを有する。この場合、前記制御部は、各帳票束の形成に際して、前記第１帳票切断部で最初に切断された単位帳票を除く他のすべての単位帳票に糊を塗布するように前記糊塗布部を制御することが好ましい。
【００１５】
【発明の実施の形態】
本発明では、第１のフォーマットを有する連続帳票を所定枚数だけ単位帳票に切断した後に、第１のフォーマットとは異なる第２のフォーマットを有する連続帳票を所定枚数だけ単位帳票に切断する。そして、切断された単位帳票を切断の順序にしたがって綴じ合わせることによって、１つの帳票の束を形成する。この場合、たとえば最初に切断された単位帳票を除く他の単位帳票に糊を塗布し、これらの単位帳票を切断の順序にしたがって積み重ねることによって、単位帳票が切断の順序にしたがって綴じ合わされる。
【００１６】
以上のように、本発明では、たとえば表紙を構成する単位帳票が第１のフォーマットを有する連続帳票の形態で作成され、データページを構成する単位帳票が第２のフォーマットを有する連続帳票の形態で作成され、第１のフォーマットを有する連続帳票から切断された所望枚数の表紙用単位帳票と第２のフォーマットを有する連続帳票から切断された所望枚数のデータページ用単位帳票とで各帳票束を形成する。したがって、本発明では、帳票を無駄にすることなく、また様々な形式の連続帳票をその都度作成することなく、フォーマットの異なる複数の連続帳票から帳票束を簡易的に形成することができる。
【００１７】
本発明の実施形態を、添付図面に基づいて説明する。
図１は、本発明の実施形態にかかる製本装置の構成を概略的に示す斜視図である。また、図２は、図１に対応する図であって、製本装置の構成を模式的に示す図である。
図示の装置では、互いに異なるフォーマットを有する２つの連続帳票１および２が供給されるように構成されている。ここで、連続帳票１では表紙を構成する単位帳票が連続的に形成され、連続帳票２ではデータページを構成する単位帳票が連続的に形成されている。
【００１８】
なお、連続帳票１および２は、図３に示すように、典型的なコンピュータ出力連続帳票である。すなわち、連続帳票１および２は、多数の単位帳票３１を一方向（以下、「連続方向」という）に沿って連続させた形態を有する。連続方向に沿って隣接する２つの単位帳票３１の間には、連続方向と直交する方向（以下、「幅方向」という）に沿って折り畳み用兼切断用ミシン目３２が連続帳票の全体に亘って形成されている。
【００１９】
また、連続帳票１および２には、その幅方向の両側において連続方向に沿って延びる細長いマージナル部３３が形成されている。すなわち、マージナル部３３は、連続帳票の外側エッジ３４と、外側エッジ３４から所定の間隔を隔てて連続方向に沿って延びる切断用ミシン目３５とによって規定される領域である。このマージナル部３３には、多数の搬送用のマージナル孔３６が連続方向に沿って等間隔に形成されている。
【００２０】
連続帳票１および２は、図１および図２に示すように、その折り畳み用兼切断用ミシン目３２に沿って単位帳票ごとにジグザグ状に折り畳まれた状態で所定の位置にそれぞれ設置されている。所定の位置にそれぞれ設置された連続帳票１および２は、たとえばマージナル孔３６と係合するように形成された多数のマージナルピンを有する一対の無端状ベルトを処理経路に沿った所定の軌道に沿って駆動する機構により、第１帳票切断部３および第２帳票切断部４に送給される。すなわち、装置のオペレータが連続帳票１および２の先端部のマージナル孔３６を一対の無端状ベルトのマージナルピンに係合させた後に無端状ベルトを駆動することにより、連続帳票１および２が第１帳票切断部３および第２帳票切断部４へ連続的に移送される。
【００２１】
なお、第１帳票切断部３および第２帳票切断部４の直前において、スリッタ５および６（図２では不図示）の作用により、切断用ミシン目３５に沿ってマージナル部３３が連続帳票１および２から連続的に切り落とされる。第１帳票切断部３および第２帳票切断部４では、マージナル部３３が切り落とされた連続帳票１および２を折り畳み用兼切断用ミシン目３２に沿って順次切断する。第１帳票切断部３および第２帳票切断部４は、具体的には、たとえば低速回転する一対のローラ３ａおよび４ａと、高速回転する一対のローラ３ｂおよび４ｂとを備えている。したがって、第１帳票切断部３および第２帳票切断部４に供給された連続帳票１および２の先端部は、低速回転ローラ３ａおよび４ａを介した後に高速回転ローラ３ｂおよび４ｂに達する。
【００２２】
このとき、高速回転ローラ３ｂおよび４ｂの間隔は広く設定されており、低速回転ローラ３ａおよび４ａの作用により連続帳票１および２は移送される。やがて、連続帳票１および２の折り畳み用兼切断用ミシン目３２が所定の位置に達すると、高速回転ローラ３ｂおよび４ｂはその間隔を狭める。その結果、連続帳票１および２には、低速回転ローラ３ａおよび４ａと高速回転ローラ３ｂおよび４ｂとの移送速度差により連続方向に沿った引張り力が作用する。この状態において、たとえばブレード７および８（図１では不図示）による突出力を連続帳票１および２の折り畳み用兼切断用ミシン目３２に作用させることにより、連続帳票１および２は折り畳み用兼切断用ミシン目３２に沿って切断される。
【００２３】
こうして、連続帳票１および２を折り畳み用兼切断用ミシン目３２に沿って順次切断することによって作成された単位帳票１ａおよび２ａは、第１糊塗布部９および第２糊塗布部１０の位置まで移送される。第１糊塗布部９および第２糊塗布部１０では、移送されてきた単位帳票１ａおよび２ａに対して必要に応じて糊塗布処理を行う。具体的には、第１糊塗布部９および第２糊塗布部１０は、たとえばノズルを介して糊を噴霧する。第１糊塗布部９および第２糊塗布部１０を介して必要に応じて糊塗布処理が行われた単位帳票１ａおよび２ａは、それぞれ反転された後、スタッカー部１１（図１では不図示）にスタックされる。すなわち、スタッカー部１１では、順次送給される単位帳票１ａおよび２ａが切断の順序にしたがって積み重ねられる。
【００２４】
ところで、第１帳票切断部３および第２帳票切断部４の直前には、連続帳票１および２の各単位帳票に付されたマーク（文字、記号など）を検出するための第１マーク検出部１２および第２マーク検出部１３が設けられている。マーク検出部として、たとえばＯＣＲ（光学式文字読取装置）、ＯＭＲ（光学式マーク読取装置）、バーコードリーダーなどの適当なセンサ手段を用いることができる。第１マーク検出部１２およびの検出結果は、制御部１４（図１では不図示）に供給される。この制御部１４は、第１帳票切断部３および第２帳票切断部４、並びに第１糊塗布部９および第２糊塗布部１０を駆動制御する。
【００２５】
図４および図５は、本実施形態の製本装置における第１の製本方法に基づく処理フローを示す図である。
第１の製本方法では、製本処理の開始に先立って、各帳票束の形成に際して第１帳票切断部３および第２帳票切断部４で切断すべき単位帳票の枚数に関する情報が制御部１４に入力される。制御部１４は、入力された枚数情報に基づいて、第１帳票切断部３における切断枚数および第２帳票切断部４における切断枚数を各帳票束の形成に際して一定に制御する。以下、例示的に、第１帳票切断部３における切断枚数が２に設定され、第２帳票切断部４における切断枚数が３に設定された場合を想定する。すなわち、２枚の表紙用単位帳票と３枚のデータページ用単位帳票とで１つの帳票束を形成する製本処理を繰り返し行う場合を想定する。
【００２６】
この場合、まず、第１マーク検出部１２および第２マーク検出部１３が連続帳票１および２の先頭の単位帳票に印字されたマークを検出し、連続帳票１の先頭に位置する単位帳票および連続帳票２の先頭に位置する単位帳票がそれぞれ表紙の１枚目およびデータページの１枚目であることを確認する（Ｓ１０１）。次いで、第１帳票切断部３において１枚目の表紙用単位帳票を連続帳票１から切り離す（Ｓ１０２）。このとき、第１帳票切断部３は、切断した単位帳票の枚数を計数し、カウントを１に設定する（Ｓ１０３）。この切断処理により連続帳票１から切り離された単位帳票１ａは、第１糊塗布部９の位置まで移送される。なお、切断した単位帳票の枚数は、第１帳票切断部３の切断動作や連続帳票１の送り量などに基づいて計数される。
【００２７】
制御部１４は、第１帳票切断部３におけるカウントに照らして第１糊塗布部９に移送されてきた単位帳票１ａが１枚目の表紙用単位帳票であるか否かを判断する（Ｓ１０４）。制御部１４は、カウントが１であるため単位帳票１ａが１枚目の表紙用単位帳票であることを検知し、単位帳票１ａに対して第１糊塗布部９で糊塗布処理を行うことなく（Ｓ１０５）、スタッカー部１１へ移送する。スタッカー部１１は、糊塗布処理されることなく供給された単位帳票１ａを反転させてスタックする（Ｓ１０６）。ここで、制御部１４は、第１帳票切断部３におけるカウントに照らして第１帳票切断部３における切断処理が終了したか否かを判断する（Ｓ１０７）。
【００２８】
制御部１４は、カウントが１であるため（２よりも小さいため）第１帳票切断部３における切断処理が終了していないことを検知し、第１帳票切断部３において２枚目の表紙用単位帳票を連続帳票１から切り離す（Ｓ１０２）。そして、第１帳票切断部３は、カウントを２に設定する（Ｓ１０３）。この切断処理により切り離された単位帳票１ａは、第１糊塗布部９の位置まで移送される。制御部１４は、第１糊塗布部９に移送されてきた単位帳票１ａが１枚目の表紙用単位帳票であるか否かを判断する（Ｓ１０４）。この場合、制御部１４は、カウントが２であるため単位帳票１ａが１枚目の表紙用単位帳票でないことを検知し、単位帳票１ａに対して第１糊塗布部９で糊塗布処理を行った後（Ｓ１０８）、反転させてスタッカー部１１にスタックする（Ｓ１０６）。そして、制御部１４は、第１帳票切断部３における切断処理が終了したか否かを判断する（Ｓ１０７）。
【００２９】
制御部１４は、カウントが２であるため第１帳票切断部３における切断処理が終了したことを検知し、第２帳票切断部４において１枚目のデータページ用単位帳票を連続帳票２から切り離す（Ｓ１０９）。すなわち、第１帳票切断部３における切断処理を停止し、第２帳票切断部４における切断処理を開始する。このとき、第２帳票切断部４は、切断した単位帳票の枚数を計数し、カウントを１に設定する（Ｓ１１０）。この切断処理により連続帳票２から切り離された単位帳票２ａは、第２糊塗布部１０の位置まで移送される。
【００３０】
制御部１４は、単位帳票２ａに対して第２糊塗布部１０で糊塗布処理を行った後（Ｓ１１１）、反転させてスタッカー部１１にスタックする（Ｓ１１２）。そして、制御部１４は、第２帳票切断部４におけるカウントに照らして第２帳票切断部４における切断処理が終了したか否かを判断する（Ｓ１１３）。制御部１４は、カウントが１であるため（３よりも小さいため）第２帳票切断部４における切断処理が終了していないことを検知し、第２帳票切断部４において２枚目の帳票を連続帳票２から切り離す（Ｓ１０９）。そして、第２帳票切断部４は、カウントを２に設定する（Ｓ１１０）。この切断処理により切り離された単位帳票２ａは、第２糊塗布部１０で糊塗布処理された後（Ｓ１１１）、反転されてスタッカー部１１にスタックされる（Ｓ１１２）。
【００３１】
同様に、３枚目の帳票についても、第２帳票切断部４における切断処理および第２糊塗布部１０における糊塗布処理を行った後、反転させてスタッカー部１１にスタックする。そして、制御部１４は、第２帳票切断部４におけるカウントに照らして第２帳票切断部４における切断処理が終了したか否かを判断する（Ｓ１１３）。このとき、制御部１４は、カウントが３になっているため第２帳票切断部４における切断処理が終了したことを検知し、連続帳票１の先頭に位置する単位帳票および連続帳票２の先頭に位置する単位帳票がそれぞれ次の帳票束のための表紙の１枚目およびデータページの１枚目であることを確認する（Ｓ１０１）。
【００３２】
こうして、２枚の表紙用単位帳票と３枚のデータページ用単位帳票とが丁合され且つ糊綴じされる。すなわち、表面側から順に、１枚目の表紙用単位帳票、２枚目の表紙用単位帳票、１枚目のデータページ用単位帳票、２枚目のデータページ用単位帳票、および３枚目のデータページ用単位帳票の順番にしたがって（すなわち切断の順序にしたがって）重ね合わされ、各単位帳票の表面の一部と各単位帳票の裏面の一部とが糊により互いに綴じ合わされる。上述の動作は、次に綴じ合わせるべき帳票の束の形成に際して同様に繰り返され、やがてスタッカー部１１には２枚の表紙と３枚のデータページとからなる帳票束が多数形成される。すなわち、第１の製本方法では、帳票を無駄にすることなく、また様々な形式の連続帳票をその都度作成することなく、フォーマットの異なる複数の連続帳票から帳票束を簡易的に形成することができる。
【００３３】
図６および図７は、本実施形態の製本装置における第２の製本方法に基づく処理フローを示す図である。
第２の製本方法では、各帳票束の形成に際して、第１帳票切断部３で切断されるべき連続帳票１の先頭位置にある単位帳票に付されたマークを第１マーク検出部１２で検出し、検出されたマークに含まれる枚数情報に基づいて、第１帳票切断部３における切断枚数を決定する。また、第２帳票切断部４で切断されるべき連続帳票２の先頭位置にある単位帳票に付されたマークを第２マーク検出部１３で検出し、検出されたマークに含まれる枚数情報に基づいて第２帳票切断部４における切断枚数を決定する。換言すると、制御部１４は、検出されたマークに含まれる枚数情報に基づいて、第１帳票切断部３における切断枚数および第２帳票切断部４における切断枚数を各帳票束の形成毎に制御する。
【００３４】
この場合、まず、第１マーク検出部１２および第２マーク検出部１３が連続帳票１および２の先頭の単位帳票に印字されたマーク（数字、または数字に対応する記号など）を検出し（Ｓ２０１）、検出されたマークに含まれる枚数情報に基づいて第１帳票切断部３および第１帳票切断部４における切断枚数を決定する（Ｓ２０２）。以下、例示的に、第１帳票切断部３における切断枚数が１に決定され、第２帳票切断部４における切断枚数が３に決定された場合を想定する。すなわち、１枚の表紙用単位帳票と３枚のデータページ用単位帳票とで１つの帳票束を形成する場合を想定する。なお、第２の製本方法の処理フローは、すでに説明した第１の製本方法の処理フローに類似する部分が多いので、重複する部分については説明を簡略化する。
【００３５】
次いで、第１帳票切断部３において１枚目の表紙用単位帳票を連続帳票１から切り離す（Ｓ２０３）。このとき、第１帳票切断部３は、切断した単位帳票の枚数を計数し、カウントを１に設定する（Ｓ２０４）。この切断処理により連続帳票１から切り離された単位帳票１ａは、第１糊塗布部９の位置まで移送される。そして、制御部１４は、第１帳票切断部３におけるカウントに照らして第１糊塗布部９に移送されてきた単位帳票１ａが１枚目の表紙用単位帳票であるか否かを判断する（Ｓ２０５）。制御部１４は、カウントが１であるため単位帳票１ａが１枚目の表紙用単位帳票であることを検知し、単位帳票１ａに対して第１糊塗布部９で糊塗布処理を行うことなく（Ｓ２０６）、スタッカー部１１へ移送する。スタッカー部１１は、糊塗布処理されることなく供給された単位帳票１ａを反転させてスタックする（Ｓ２０７）。ここで、制御部１４は、第１帳票切断部３におけるカウントに照らして第１帳票切断部３における切断処理が終了したか否かを判断する（Ｓ２０８）。
【００３６】
制御部１４は、カウントが１であるため第１帳票切断部３における切断処理が終了したことを検知し、第２帳票切断部４において１枚目のデータページ用単位帳票を連続帳票２から切り離す（Ｓ２１０）。すなわち、第１帳票切断部３における切断処理を停止し、第２帳票切断部４における切断処理を開始する。このとき、第２帳票切断部４は、切断した単位帳票の枚数を計数し、カウントを１に設定する（Ｓ２１１）。この切断処理により連続帳票２から切り離された単位帳票２ａは、第２糊塗布部１０の位置まで移送される。
【００３７】
制御部１４は、単位帳票２ａに対して第２糊塗布部１０で糊塗布処理を行った後（Ｓ２１２）、反転させてスタッカー部１１にスタックする（Ｓ２１３）。そして、制御部１４は、第２帳票切断部４におけるカウントに照らして第２帳票切断部４における切断処理が終了したか否かを判断する（Ｓ２１４）。制御部１４は、カウントが１であるため第２帳票切断部４における切断処理が終了していないことを検知し、第２帳票切断部４において２枚目の帳票を連続帳票２から切り離す（Ｓ２１０）。こうして、２枚目および３枚目の帳票についても、第２帳票切断部４における切断処理および第２糊塗布部１０における糊塗布処理を行った後、反転させてスタッカー部１１にスタックする。そして、制御部１４は、第２帳票切断部４におけるカウントに照らして第２帳票切断部４における切断処理が終了したか否かを判断する（Ｓ２１４）。
【００３８】
このとき、制御部１４は、カウントが３になっているため第２帳票切断部４における切断処理が終了したことを検知し、次に製本処理すべき帳票束のためのマーク検出および切断枚数の決定を行う。すなわち、第１マーク検出部１２および第２マーク検出部１３が連続帳票１および２の先頭の単位帳票に印字されたマークを検出し（Ｓ２０１）、検出されたマークに含まれる枚数情報に基づいて、第１帳票切断部３および第１帳票切断部４における切断枚数を決定する（Ｓ２０２）。
【００３９】
こうして、表面側から順に、１枚目の表紙用単位帳票、１枚目のデータページ用単位帳票、２枚目のデータページ用単位帳票、および３枚目のデータページ用単位帳票の順番にしたがって重ね合わされ、各単位帳票の表面の一部と各単位帳票の裏面の一部とが糊により互いに綴じ合わされる。上述の動作は、次に綴じ合わせるべき帳票束の形成毎に繰り返され、やがてスタッカー部１１には所望のランダム枚数の表紙と所望のランダム枚数のデータページとからなる帳票束が順次形成される。すなわち、第２の製本方法においても、帳票を無駄にすることなく、また様々な形式の連続帳票をその都度作成することなく、フォーマットの異なる複数の連続帳票から帳票束を簡易的に形成することができる。
【００４０】
なお、上述の例では第１帳票切断部３における切断枚数が１に決定されているが、第１帳票切断部３における切断枚数が２に決定されている場合には、第１帳票切断部３において２枚目の表紙用単位帳票を連続帳票１から切り離す（Ｓ２０３）。そして、第１帳票切断部３は、カウントを２に設定する（Ｓ２０４）。この切断処理により切り離された単位帳票１ａは、第１糊塗布部９の位置まで移送される。制御部１４は、第１糊塗布部９に移送されてきた単位帳票１ａが１枚目の表紙用単位帳票であるか否かを判断する（Ｓ２０５）。この場合、制御部１４は、カウントが２であるため単位帳票１ａが１枚目の表紙用単位帳票でないことを検知し、単位帳票１ａに対して第１糊塗布部９で糊塗布処理を行った後（Ｓ２０９）、反転させてスタッカー部１１にスタックする（Ｓ２０７）。
【００４１】
なお、上述の第２の製本方法では、第１マーク検出部１２および第２マーク検出部１３が連続帳票１および２の先頭の単位帳票に印字されたマークを検出し、検出したマークに含まれる枚数情報に基づいて第１帳票切断部３および第１帳票切断部４における切断枚数をそれぞれ決定している。しかしながら、第１マーク検出部１２が連続帳票１の先頭の単位帳票に印字されたマークだけを検出し、検出したマークに含まれる枚数情報に基づいて第１帳票切断部３および第１帳票切断部４における切断枚数を決定することができる。あるいは、第２マーク検出部１３が連続帳票２の先頭の単位帳票に印字されたマークだけを検出し、検出したマークに含まれる枚数情報に基づいて第１帳票切断部３および第１帳票切断部４における切断枚数を決定することもできる。
【００４２】
また、上述の第２の製本方法では、連続帳票の先頭の単位帳票に印字されたマークを検出し、検出したマークに含まれる枚数情報に基づいて切断枚数を決定している。しかしながら、第１帳票切断部３および第２帳票切断部４で切断される各単位帳票に付されたマークを第１マーク検出部１２および第２マーク検出部１３で検出し、検出したマーク情報に基づいて、同じマークの付された単位帳票で１つの帳票束を形成するように第１帳票切断部３および第２帳票切断部４における切断処理を各帳票束の形成毎に制御することも可能である。具体的には、たとえば、連続帳票１の先頭から２枚目までの単位帳票に「＊＊＊」のマークが印字され、連続帳票２の先頭から５枚目までの単位帳票に「＊＊＊」のマークが印字されている場合、第１帳票切断部３において２枚の表紙用単位帳票を切断した後に、第２帳票切断部４において５枚のデータページ用単位帳票を切断する。
【００４３】
ところで、上述の実施形態では、糊塗布部を帳票切断部よりも後方に配置しているが、糊塗布部を帳票切断部よりも前方に配置することもできる。
また、上述の実施形態では、糊を塗布した後に反転させてスタックすることにより帳票を綴じ合わせているが、たとえば切断処理を介して丁合された帳票をステープルなどを用いて綴じ合わせた後にスタックする方法も考えられる。
【００４４】
さらに、上述の実施形態では、互いにフォーマットの異なる２つの連続帳票に対して本発明を適用しているが、３つ以上の複数の連続帳票に対して本発明を適用することができる。
また、上述の実施形態では、連続帳票から単位帳票を順次切り離すための帳票切断部として、一対の低速ローラーと一対の高速ローラーとからなるディタッチャー（裁断装置）を用いているが、たとえばカッターのような他の適当な帳票切断手段を用いることもできる。
【００４５】
さらに、上述の実施形態では、２つの連続帳票に対応して、２つの帳票切断部および２つの糊塗布部を設けているが、図８に示すように、一対の高速ローラー８０ｂを２つの連続帳票に対して共通化し、且つ糊塗布部８１を２つの連続帳票に対して共通化することもできる。また、図９に示すように、帳票切断部としてカッター９０を２つの連続帳票に対して共通化し、且つ糊塗布部９１を２つの連続帳票に対して共通化することもできる。
【００４６】
【発明の効果】
以上説明したように、本発明の帳票の製本装置および製本方法では、帳票を無駄にすることなく、また様々な形式の連続帳票をその都度作成することなく、フォーマットの異なる複数の連続帳票から帳票束を簡易的に形成することができる。
【図面の簡単な説明】
【図１】本発明の実施形態にかかる製本装置の構成を概略的に示す斜視図である。
【図２】図１に対応する図であって、製本装置の構成を模式的に示す図である。
【図３】製本処理すべき連続帳票の構成を概略的に示す図である。
【図４】本実施形態の製本装置における第１の製本方法に基づく第１処理フローを示す図である。
【図５】本実施形態の製本装置における第１の製本方法に基づく第２処理フローを示す図である。
【図６】本実施形態の製本装置における第２の製本方法に基づく第１処理フローを示す図である。
【図７】本実施形態の製本装置における第２の製本方法に基づく第２処理フローを示す図である。
【図８】図２に対応する図であって、本実施形態の第１変形例の構成を概略的に示す図である。
【図９】本実施形態の第２変形例の構成を概略的に示す図である。
【図１０】表紙用単位帳票の枚数およびデータページ用単位帳票の枚数が固定的に設定された従来の連続帳票の構成を概略的に示す図である。
【符号の説明】
１、２連続帳票
３、４  帳票切断部
５、６スリッター
７、８ブレード
９、１０  糊塗布部
１１  スタッカー部
１２、１３  マーク検出部
１４    制御部
【図１】
0004345997.tif 000002
【図２】
0004345997.tif 000003
【図３】
0004345997.tif 000004
【図４】
0004345997.tif 000005
【図５】
0004345997.tif 000006
【図６】
0004345997.tif 000007
【図７】
0004345997.tif 000008
【図８】
0004345997.tif 000009
【図９】
0004345997.tif 000010
【図１０】
0004345997.tif 000011